(57)【要約】
【課題】伝送を安定させ、使用上の便利性を高めるべく、光学マウスの構造を提供する。
【解決手段】上蓋１１と底部１２による外殻１、並びに該外殻１内に固定される回路板２、及び該底部１２に設置される分光レンズ３より構成し、該底部１２上には穿１２１孔を設け、該回路板２には受信部２１１を具有する探知器２１を設け、該探知器２１の片側にはレーザー光源２２を隣接して設け、該探知器２１の受信部２１１を該穿孔１２１に対応させ、該分光レンズ３の上下両端面はそれぞれ該受信部２１１と穿孔１２１に対応させ、該分光レンズ３の片側は該レーザー光源２２に対応させ、該レーザー光源２２が発射されて屈折した後の光源を更に集中させる。
【選択図】　　　　図１
0003099115.tif 000002
【実用新案登録請求の範囲】
【請求項１】
　外殻と回路板と分光レンズとより構成される光学マウスの構造において、
　上蓋と穿孔が設けられた底部とより構成される前記外殻と、
　前記外殻内に固定されており、該穿孔に対応した受信部を具有する探知器が設けられており該探知器の片側にはレーザー光源が設けられている該回路板と、
　前記外殻の底部上に設置されており、且つ上下両端面はそれぞれ該探知器の受信部と穿孔と相対した状態を呈しており、且つ片側が該レーザー光源と相対している該分光レンズと
　を具有することを特徴とする光学マウスの構造。
【請求項２】
　前記穿孔中には凸レンズを設け、該凸レンズは前記分光レンズの下端面に対応させることを特徴とする請求項１記載の光学マウスの構造。
【考案の詳細な説明】
【技術分野】
【０００１】
　本考案は光学マウスの構造に係り、特にレーザー光源における極性を具有する光の特性に併せて分光レンズを利用することにより、発射されて屈折した後の光源を更に集中させることで使用効果が更に優れた光学マウスの構造に関わる。
【背景技術】
【０００２】
　従来公知におけるマウスは、上蓋と底部の組み合わせによる外殻を含み、該外殻底部には孔が設けられているものが主流であり、このような公知におけるマウスの内部構造は、該底部上には回路板が設けられて該回路板上には該底部の孔に対応した軌道モジュールが設けられており、該軌道モジュール内にはボールが設けられており、該回路板には導線が連結されており、該導線のもう一端に設けたアダプタでコンピュータに連結できるようになっている。該ボールが回転することによって該軌道モジュールを制御し、ポインタの位置でクリックされると信号がコンピュータのホストに伝送される仕組みである。
【０００３】
　しかし上述のようなマウスにおける欠点には、まずボールが卓上などにて転がることから塵や埃が内部構造に入り込みやすく、結果として接触不良を招きやすいことが言える。
　よって、上述のような欠点を解決するべく、既に光学マウスが開発されている(例えば、特許文献１)が、これは底部、上蓋、回路板より構成されるものであり、該回路板は該底部に固定されており、該回路板と該底部の中央個所にはスロットが設けられており、該回路板上には発光ダイオードが設けられており、該発光ダイオードは曲折して該スロット付近に近隣しており、該回路板上には探知器が設けられており、更に該探知器に設けられた受信部が該スロットに対応した個所に設けられており、該底部と該回路板との間にはレンズ部が設けられており、該レンズ部には二つの一体成型による第一レンズ及び第二レンズを含み、該第二レンズは直角を呈して配列されており、該第一レンズは該発光ダイオードに対応しており、また該第二レンズは該探知器の受信部に対応して設けられているので、よって、該発光ダイオードが発する光のシグナルが机の表面などの反射面から該第二レンズにまで屈折すると、該探知器の受信部にまで伝送される仕組みとなっている。
【０００４】
　上述のような公知における光学マウスにおいて、該発光ダイオードの発する光源には第一レンズ及び机の表面などの反射面、更に第二レンズなどのパーツがあって探知器に伝送されるのであり、また光源が光学マウスに対して効果的な光源であるかどうかが重要なポイントであるが、発光ダイオードによる光源の提供における大きな欠点として、屈折や反射を経て光源が散光してしまうことがあり、これに伴って探知器が安定した伝送を行えないといった問題が出てくる。
【特許文献１】特許２５２６１１４号公報
【考案の開示】
【考案が解決しようとする課題】
【０００５】
　本考案は、上記の問題点に鑑みてなされたもので、その課題は伝送を安定させ、使用上の便利性を高めた光学マウスの構造を提供することである。
【課題を解決するための手段】
【０００６】
　前記課題を解決するために、請求項１の考案は、外殻と回路板と分光レンズとより構成される光学マウスの構造において、上蓋と穿孔が設けられた底部とより構成される前記外殻と、前記外殻内に固定されており、該穿孔に対応した受信部を具有する探知器が設けられており該探知器の片側にはレーザー光源が設けられている該回路板と、前記外殻の底部上に設置されており、且つ上下両端面はそれぞれ該探知器の受信部と穿孔と相対した状態を呈しており、且つ片側が該レーザー光源と相対している該分光レンズとを具有することを特徴とする光学マウスの構造である。
　請求項２の考案は、前記穿孔中には凸レンズを設け、該凸レンズは前記分光レンズの下端面に対応させることを特徴とする請求項１記載の光学マウスの構造である。
　 すなわち、上記各考案は、上蓋と底部による外殻、並びに該外殻内に固定される回路板、及び該底部に設置される分光レンズより構成し、該底部上には穿孔を設け、該回路板には受信部を具有する探知器を設け、該探知器の片側にはレーザー光源を隣接して設け、該探知器の受信部を該穿孔に対応させ、該分光レンズの上下両端面はそれぞれ該受信部と穿孔に対応させ、該分光レンズの片側は該レーザー光源に対応させ、該レーザー光源が発射されて屈折した後の光源を更に集中させて散光させないことを最も主要な特徴とする。
【考案の効果】
【０００７】
　本考案によると、レーザー光の屈折や反射後に散光しない極性を具有する特性を生かし、更に伝送が安定して使用上の便利性を高めるという効果が得られる。
【考案を実施するための最良の形態】
【０００８】
　本考案は、底部上には穿孔を設け、該回路板には受信部を具有する探知器を設け、探知器の片側にはレーザー光源を隣接して設け、探知器の受信部を穿孔に対応させ、該分光レンズの上下両端面はそれぞれ該受信部と穿孔に対応させ、該分光レンズの片側は該レーザー光源に対応させ、該レーザー光源が発射されて屈折した後の光源を更に集中させて散光させない構成としたことで、レーザー光の屈折や反射後に散光しない極性を具有し、更に伝送が安定して使用上の便利性を高めることを実現した。
【実施例】
【０００９】
　本考案の実施例を図面に沿って説明するが、図１，２に示すように、本考案の実施例は、主に外殻１と回路板２と分光レンズ３とを含み、該分光レンズ３によってレーザー光源２２から照射される光を屈折させた後の光源を、更に集中させるものである。
　前記外殻１には上蓋１１と底部１２とを含み、該底部１２上には穿孔１２１が設けられている。
　前記回路板２は前記外殻１内に固定されており、該回路板２には受信部２１１を具有する探知器２１及び該光学マウスを操作及び演算させる電子部品（図中なし）が設けられている。該探知器２１片側に該レーザー光源２２が隣接して設けられているのであり、該探知器２１の受信部２１１は該穿孔１２１に対応した個所に位置している。
　前記分光レンズ３は該外殻１の底部１２上に設けられており、該分光レンズ３の上下両端面はそれぞれ該探知器２１の受信部２１１及び穿孔１２１に対応した状態を呈している。該分光レンズ３の片側は該レーザー光源２２と対応しており、該穿孔１２１中には焦準レンズ１２２が設けられており、該焦準レンズ１２２を該分光レンズ３の下端面に対応させて、該焦準レンズ１２２が該穿孔１２１を封じるようにし、該屈折後のレーザー光源２２が更に集中して優れた使用効果を提供する目的のほか、該光学マウスが静電気やその他の干渉を防止する目的を果たす。
【００１０】
　図３に示すように、本考案の実施例の反射ルートにおいては、前記レーザー光源２２が発射する光源シグナルが該分光レンズ３の片面より入り込むことで、該分光レンズ３によって光源シグナルが下方に屈折し、該光源シグナルが該穿孔１２１を通過して該反射面４（机の上やマウスパッドなど）にて屈折する。このとき該光源シグナルは該レーザー光源２２の特性により上方に反射されて、該光源シグナルは該穿孔１２１中の焦準レンズ１２２で更に集中し、該光源シグナルが該分光レンズ３の下端面より上端面に向かって直接照射し、最後に該光源シグナルが該探知器２１の受信部２１１にて受信され、こうして該レーザー光源２２の極性を有する光がその極性によって該分光レンズ３に照射されたとき、該反射面４にまで屈折し、該反射面４が反射したレーザー光はその極性が変化することにより、該反射面４は該分光レンズ３に当たると、該分光レンズ３を通過して該探知器２１の受信部２１１に当てる。
【図面の簡単な説明】
【００１１】
【図１】本考案の実施例における立体分解説明図である。
【図２】本考案の実施例における断面図である。
【図３】本考案の実施例における反射ルート説明図である。
【符号の説明】
【００１２】
１　外殻
１１　上蓋
１２　底部
１２１　穿孔
１２２　焦準レンズ
２　回路板
２１　探知器
２１１　受信部
２２　レーザー光源
３　分光レンズ
４　反射面
【図１】
0003099115.tif 000003
【図２】
0003099115.tif 000004
【図３】
0003099115.tif 000005